(57)【要約】【課題】本への取り付け、取り外しが簡単で本の取り扱い中に動いたり外れたりせず、且つ必要な時には本の題名を他人に見られないようにする。【解決手段】不透明な基材シート６ａを保護対象である本の表表紙１３、背表紙１２、裏表紙１４を一体に連設した大きさに略等しい大きさに形成する。その基材シートが本に接触する裏側全面に亘って再剥離可能な弱粘着性の粘着層７ａを形成する。粘着層により本の表紙に貼り付けて装着する。【選択図】図１
2008137370.tif 000002
【特許請求の範囲】
【請求項１】
本の表紙を覆って本を保護すると同時に読んでいる本の題名を他人に容易には見られないようにするためのブックカバーであって、
前記本の表表紙、背表紙、裏表紙を一体に連設した形状に略等しい形状の不透明な基材シートの裏面全体に再剥離可能な弱粘着性の粘着層を形成して構成してあり、該粘着層により前記本の表紙に貼り付けて使用することを特徴とするブックカバー。
【請求項２】
請求項１に記載のブックカバーであって、前記基材シートにおける前記本の開き方向側に当たる左右両端部に、本の表表紙、背表紙の裏側に折り返して使用する折返部が延設してあり、該折返部の裏面全体にも再剥離可能な弱粘着性の粘着層が形成してあることを特徴とするブックカバー。
【請求項３】
請求項１又は２に記載のブックカバーであって、前記粘着層は前記基材シートの左右両端の周縁部を除いた裏面全体に形成してあることを特徴とするブックカバー。
【請求項４】
請求項１乃至３の何れかに記載のブックカバーであって、前記基材シートにおける前記本の背表紙を覆う部分は透明に形成してあることを特徴とするブックカバー。
【請求項５】
請求項１乃至３の何れかに記載のブックカバーであって、前記基材シートにおける前記本の背表紙に印刷された本の題名を表示する部分を覆う部分が切り抜いてあり、
該切り抜き部には、該切り抜き部を余裕をもって覆うことのできる大きさの不透明なシートであって、該切り抜き部及びその外周縁部に接触する部分と、該シート自体の周縁部とを除く部分に再剥離可能な弱粘着性の粘着層を形成した覆いシートが貼り付けてあることを特徴とするブックカバー。
【請求項６】
請求項１乃至４の何れかに記載のブックカバーであって、前記基材シートにおける前記本の表表紙に印刷された本の題名、絵図等を表示する部分を覆う部分が切り抜いてあり、
該切り抜き部には、該切り抜き部を余裕をもって覆うことのできる大きさの不透明なシートであって、該切り抜き部及びその外周縁部に接触する部分と、該シート自体の周縁部とを除く部分に再剥離可能な弱粘着性の粘着層を形成した覆いシートが貼り付けてあることを特徴とするブックカバー。
【発明の詳細な説明】
【技術分野】
【０００１】
本発明はブックカバーに関し、特には本への取り付け、取り外しが簡単で、本の取り扱い中に動いたり外れたりすることがなく、且つ必要な時に本の題名を他人に見られないようにすることのできるブックカバーに関する。
【背景技術】
【０００２】
本の表紙を汚れや破損から保護したり美観を維持したりするためにブックカバーが利用される。ブックカバーは、また、読んでいる本の表紙を他人に見られたくないとの理由で使用されたりもする。
【０００３】
図１５は従来のブックカバーの一例である。このブックカバー１は、保護する本１０（図１６参照）の背表紙１２とほぼ同一大きさの背表紙部２の両側に、本１０の表表紙１３、裏表紙１４とほぼ同一大きさの表表紙部３、裏表紙部４が一体に連設され、それら表表紙部３、裏表紙部４の各３辺の周囲に折返部５が形成されたものである。このブックカバー１を本１０に装着する際には、各折返部５が本１０の表表紙３、裏表紙４の裏側に折り返され、本１０の本体と表紙との間に挟み込んで使用される。
【０００４】
このブックカバー１は、本１０の表表紙３、裏表紙４の左右、上下の端部をも覆って保護する利点がある。しかし、本１０の表表紙１３、裏表紙１４、背表紙１２の形状に一致し、且つ計６個の折返部５を設けた形状に基材シート６を加工する必要があり、製作が容易とは言えない。また、６個の折返部５を本１０の裏側に折り返す作業は面倒であり、取り外しにも手間がかかるため、簡単に取り付けたり取り外したりすることができない。更に、装着したブックカバー１は本１０の表紙に密着していないため、“ しわ ”や“ たるみ ”が生じて手にもった時に不快感の生じることがある。
【０００５】
６個の折返部５の形成作業や折り返しの手間を軽減するため、上下４個の折返部を無くして左右の２個のみとしたブックカバーも採用されているが、本１０に固定されていないため本１０の取り扱い中に動いたり外れたりする問題がある。また、図書館等では、補強と保護のために透明のコーティングフィルムを貼り付けているが、貼り付けに特殊な機械を必要とするため個人では利用できない。
【特許文献１】特開２０００−１７７２６８号公報
【発明の開示】
【発明が解決しようとする課題】
【０００６】
本発明は、従来技術のこうした問題点を解決するためになされたもので、その課題は、本への取り付け、取り外しを簡単に行なうことができ、本の取り扱い中に動いたり外れたりすることがなく、且つ必要な時に本の題名を他人に見られないようにすることのできるブックカバーを提供することにある。
【課題を解決するための手段】
【０００７】
前記課題を解決するための請求項１に記載の発明は、本の表紙を覆って本を保護すると同時に読んでいる本の題名を他人に容易には見られないようにするためのブックカバーであって、前記本の表表紙、背表紙、裏表紙を一体に連設した形状に略等しい形状の不透明な基材シートの裏面全体に再剥離可能な弱粘着性の粘着層を形成して構成してあり、該粘着層により前記本の表紙に貼り付けて使用することを特徴とするブックカバーである。
【０００８】
このような構成のブックカバーは、粘着層により本の表紙に密着するため“ しわ ”や“ たるみ ”が生じない。このため手にもって使用する時に不快感の生じることがない。粘着層は再剥離可能に形成してあるため必要な時のみ本に装着し、不必要な時は取り外すことができる。基材シートは不透明にしてあるため電車の中で読む時など、他人に読んでいる本の題名を知られたくない場合のみ装着して使用することもできる。また、本の表紙裏側に折り返して本に挟み込む折返部は設けてないため、本への装着、取り外しに手間が掛からない。
【０００９】
また、請求項２に記載の発明は、請求項１に記載のブックカバーであって、前記基材シートにおける前記本の開き方向側に当たる左右両端部に、本の表表紙、背表紙の裏側に折り返して使用する折返部が延設してあり、該折返部の裏面全体にも再剥離可能な弱粘着性の粘着層が形成してあることを特徴とするブックカバーである。
【００１０】
このような構成のブックカバーでは、本の開き方向両端部も保護される利点がある。請求項１記載のブックカバーに比べ、折返部を折り返して本に粘着させる手間がかかるが、上下方向には折返部を設けていないので簡単に取り付け、取り外しができる。
【００１１】
また、請求項３に記載の発明は、請求項１又は２に記載のブックカバーであって、前記粘着層は前記基材シートの左右両端の周縁部を除いた裏面全体に形成してあることを特徴とするブックカバーである。
【００１２】
このように左右両端に粘着層のない部分を設けておけば、粘着させたブックカバーを本の表紙から剥離する際の操作が容易になる利点がある。
【００１３】
また、請求項４に記載の発明は、請求項１乃至３の何れかに記載のブックカバーであって、前記基材シートにおける前記本の背表紙を覆う部分は透明に形成してあることを特徴とするブックカバーである。
【００１４】
このような構成のブックカバーは本に装着した状態でも本の題名を確認することができる。従って、ブックカバーを装着した状態で本棚に収納したり積み上げたりしても、題名を確認できる。本の表表紙、裏表紙はブックカバーの不透明な部分で覆われているため、電車の中等でも読んでいる本の題名を他人に知られることがない。
【００１５】
また、請求項５に記載の発明は、請求項１乃至３の何れかに記載のブックカバーであって、前記基材シートにおける前記本の背表紙に印刷された本の題名を表示する部分を覆う部分が切り抜いてあり、該切り抜き部には、該切り抜き部を余裕をもって覆うことのできる大きさの不透明なシートであって、該切り抜き部及びその外周縁部に接触する部分と、該シート自体の周縁部とを除く部分に再剥離可能な弱粘着性の粘着層を形成した覆いシートが貼り付けてあることを特徴とするブックカバーである。
【００１６】
このような構成のブックカバーは、本を保護できることに加え、電車の中など他人に読んでいる本の題名を知られたくない場合には覆いシートを貼り付けて隠すことができる。
【００１７】
また、請求項６に記載の発明は、請求項１乃至４の何れかに記載のブックカバーであって、前記基材シートにおける前記本の表表紙に印刷された本の題名、絵図等を表示する部分を覆う部分が切り抜いてあり、該切り抜き部には、該切り抜き部を余裕をもって覆うことのできる大きさの不透明なシートであって、該切り抜き部及びその外周縁部に接触する部分と、該シート自体の周縁部とを除く部分に再剥離可能な弱粘着性の粘着層を形成した覆いシートが貼り付けてあることを特徴とするブックカバーである。
【００１８】
このような構成のブックカバーは、本を保護できることに加え、電車の中など他人に読んでいる本の題名、絵図等を見られたくない場合には覆いシートを貼り付けてそれらを隠すことができる。
【発明を実施するための最良の形態】
【００１９】
以下、本発明に係るブックカバーの構成例を実施形態に分けて説明する。
（第１の実施形態）
図１は、第１の実施形態に係るブックカバー１ａを展開して示した正面図（図１の（１））と平面図（図１の（２））である。ブックカバー１ａは、保護対象である本１０（図１６）の背表紙１２とほぼ同一大きさの背表紙部２ａの両側に表表紙部３ａと裏表紙部４ａを一体に連設して形成したものである。表表紙部３ａは本１０の表表紙１３とほぼ同一大きさにしてあり、裏表紙部４ａも本１０の裏表紙１４とほぼ同一大きさにしてある。
【００２０】
ブックカバー１ａは図１の（２）に示すように、基材シート６ａの一面に粘着層７ａを設けたものである。基材シート６ａには不透明な紙、布、皮、ビニール、ゴム等を材料とするシートを使用する。同じ材料のシートでも弾力性、伸縮性に富むものが好ましい。粘着層７ａは本１０と接触する側の全面に亘って形成してある。粘着層７ａには、再剥離可能な弱粘着性の粘着剤が使用してある。かかる粘着剤としては、例えば、微球状粘着成分とそのバインダー成分とからなる再剥離性粘着剤である３Ｍ社製の商品名「ポストイットノートパッド」、積水化学工業社製の商品名「メモパッド」に使用されている再剥離製粘着剤等を使用できる。
【００２１】
図２は、ブックカバー１ａを本１０に装着した状態である。粘着層７ａを本１０側にして貼り付けて使用する。本実施形態のブックカバー１ａは、基材シート６ａの本１０に接触する側全面に粘着層７ａが形成してあり、ブックカバー１ａは本１０の表紙に密着して“ しわ ”や“ たるみ ”が生じない。このため手にもって使用する時に不快感の生じることがない。粘着層７ａには再剥離可能な弱粘着性の粘着剤が使用してあるため、必要な時のみ本１０に装着して不必要な時は取り外すことができる。基材シート６ａには不透明な材料が使用してあるため、電車の中で読む時など、他人に読んでいる本１０の題名を知られたくない場合のみ装着して使用することもできる。
【００２２】
また、従来のブックカバー１のように、基材シート６ａの周縁に本１０の表紙裏側に折り返して本１０に挟み込む折返部が形成してないため、本１０への装着、取り外しに手間が掛からない利点を有する。なお、取り外したブックカバー１ａは粘着層７ａに離型紙を貼るか、二つ折りして粘着層７ａ同士を貼り合わせて保管する。ブックカバー１ａを販売する際には、粘着層７ａに離型紙を張っておくのが好ましい。
【００２３】
（第２の実施形態）
図３は、第２の実施形態に係るブックカバー１ｂを展開して示した正面図（図３の（１））と平面図（図３の（２））である。本実施形態のブックカバー１ｂは、第１の実施形態に係るブックカバー１ａの基材シート６ａにおける左右両端部（本１０に装着した場合における開き方向両端）に当たる部分に、本１０の表表紙１３、裏表紙１４の裏側に折り返す折返部５を延設したものである。折返部５ｂの裏側にも全面に亘って再剥離可能な弱粘着性の粘着層７ｂが形成してあり、本１０の表表紙１３、背表紙１２の裏側に粘着させて使用する。
【００２４】
図４は、ブックカバー１ｂを本１０に装着した状態を示す図であり、図４の（１）は本１０を少し開いた状態を表表紙１３、裏表紙１４側から見た斜視図、図４の（２）は本１０を表紙側かみ見た斜視図である。本実施形態のブックカバー１ｂでは、本１０の開き方向両端部も保護される利点がある。第１の実施形態に係るブックカバー１ａに比べると折返部５ｂを折り返して本１０に粘着させる手間を必要とするが、上下方向には折返部を設けてないので取り付け、取り外しは簡単にできる。
【００２５】
（第３の実施形態）
図５は、第３の実施形態に係るブックカバー１ｃを展開して示した正面図（図５の（１））と平面図（図５の（２））である。本実施形態のブックカバー１ｃは、第１の実施形態に係るブックカバー１ａの変形実施形態であって、基材シート６ｃにおける本１０の背表紙１２に接する背表紙部２ｃだけを透明に形成したものである。図６は、ブックカバー１ｃを本１０に装着した状態の斜視図である。
【００２６】
図６に示すように、本実施形態のブックカバー１ｃは本１０に装着した状態でも本１０の題名を確認することができる。従って、ブックカバー１ｃを装着した状態で本棚に収納したり積み上げたりしても題名を確認できる。本１０の表表紙１３、裏表紙１４はブックカバー１ｃの不透明な部分で覆われるので、電車の中等でも読んでいる本１０の題名を他人に知られることがない。このようなブックカバー１ｃの基材シート６ｃは、例えば、透明なビニールシートを使用し、表表紙部３ｃ、裏表紙部４ｃに不透明な印刷を行なって製作する。
【００２７】
（第４の実施形態）
図７は、第４の実施形態に係るブックカバー１ｄを展開して示した正面図（図７の（１））と平面図（図７の（２））である。本実施形態のブックカバー１ｄは、第２の実施形態に係るブックカバー１ｂの変形実施形態であって、基材シート６ｄにおける本１０の背表紙１２に接する背表紙部２ｄを透明に形成したものである。図８は、ブックカバー１ｃを本１０に装着した状態の斜視図である。
【００２８】
図８に示すように、本実施形態のブックカバー１ｄは本１０に装着した状態でも本１０の題名を確認することができる。従って、第２の実施形態に係るブックカバー１ｂと同様にブックカバー１ｃを装着した状態で本棚に収納したり積み上げたりしても題名を確認できる。本１０の背表紙１２、背表紙１２はブックカバー１ｃの不透明な部分で覆われるので、電車の中等でも読んでいる本１０の題名を他人に知られることがない。このようなブックカバー１ｄの基材シート６ｄは、例えば、透明なビニールシートを使用し、表表紙部３ｃ、裏表紙部４ｃに不透明な印刷を行なって製作する。
【００２９】
（第５の実施形態）
図９は、第５の実施形態に係るブックカバー１ｅを本１０に装着した状態の斜視図である。図５、図６に示した第３の実施形態に係るブックカバー１ｃでは、基材シート６ｃの裏側全面に亘って再剥離可能な粘着層７ｃを形成した。これに対して本実施形態のブックカバー１ｅでは、基材シートの左右両端（本１０に装着した場合における開き方向両端）から数ｍｍの範囲２１ｅには粘着層を設けないようにしたものである。
【００３０】
このように左右両端に粘着層の設けてない部分が存在すると、その部分は本１０に粘着しないが、粘着させたブックカバー１ｅを本１０の表紙から剥離する操作が容易になる。
【００３１】
（第６の実施形態）
図１０は、第６の実施形態に係るブックカバー１ｆを本１０に装着した状態の斜視図である。本実施形態のブックカバー１ｆは第５の実施形態の場合と同様に、基材シートの折返部５ｆの両端から数ｍｍの範囲２１ｆには粘着層を設けないようにしたものである。このように左右両端に粘着層の設けてない部分が存在すると、その部分は本１０に粘着しないが、粘着させたブックカバー１ｆを本１０の表紙から剥離する操作が容易になる
【００３２】
（第７の実施形態）
図１１は、第７の実施形態に係るブックカバー１ｇの平面図、図１２はそのブックカバー１ｇを本１０に装着した状態の斜視図である。本実施形態のブックカバー１ｇは、本１０の背表紙１２に印刷された本の題名を見えるようにしたり、見えなくしたりできるようにしたものである。基材シート６ｇは第１実施形態のブックカバー１ａのものと同一形状の不透明シートで、裏面全体に再剥離可能な粘着層が形成してある。異なるのは本１０の背表紙１２に印刷された本の題名部分に当接する部分を切り抜いて切り抜き部２２ｇが形成してある点である。そして、その切り抜き部２２ｇを塞いだり、開放したりできる覆いシート２３ｇがその部分に貼り付けてある。
【００３３】
覆いシート２３ｇは図１１の（２）に示すように、切り抜き部２２ｇを余裕を持って覆うことのできる大きさの不透明シートである。覆いシート２３ｇの裏面には、切り抜き部２２ｇ及びその外周縁部に接触する部分２４ｇと、覆いシート２３ｇ自体の周縁部２５ｇとを除く部分２６ｇに再剥離可能な弱粘着性の粘着層が設けてある。本の題名部分を見えなくする場合は、図１２に示すように切り抜き部２２ｇを覆うようにして覆いシート２３ｇを貼り付ける。本の題名部分を見えるようにする場合は、覆いシート２３ｇの周縁部２５ｇに設けられた粘着層が形成されていない部分を手で持って剥離する。
【００３４】
このような構成とすれば本１０を保護できることに加え、電車の中など他人に読んでいる本の題名を知られたくない場合には覆いシート２３ｇを貼り付けることで本の題名を隠すことができる。
なお、このように基材シート６ｇに切り抜き部２２ｇを設け、その部分に覆いシート２３ｇを貼り付ける構成は、第２の実施形態で説明した図３に示したブックカバー１ｂ、第５の実施形態で説明した図９に示したブックカバー１ｅに対して施してもよい。
【００３５】
（第８の実施形態）
図１３は、第８の実施形態に係るブックカバー１ｈの平面図、図１４はそのブックカバー１ｈを本１０に装着した状態の斜視図である。本実施形態のブックカバー１ｈは、本１０の表表紙１３に印刷された本の題名、絵図等を見えるようにしたり、見えなくしたりできるようにしたものである。基材シート６ｈは、第１実施形態のブックカバー１ａのものと同一形状の不透明シートで、裏面全体に再剥離可能な粘着層が形成してある。異なるのは本１０の表表紙１３に印刷された本の題名、絵図等の部分に当接する部分を切り抜いて切り抜き部２２ｈが形成してある点である。そして、その切り抜き部２２ｈを塞いだり、開放したりできる覆いシート２３ｈがその部分に貼り付けてある。
【００３６】
覆いシート２３ｈは図１３の（２）に示すように、切り抜き部２２ｈを余裕を持って覆うことのできる大きさの不透明シートである。覆いシート２３ｈの裏面には、切り抜き部２２ｈ及びその外周縁部に当接する部分３４ｈと、覆いシート２３ｈ自体の周縁部３５ｈとを除く部分３６ｈに再剥離可能な弱粘着性の粘着層が設けてある。本の題名、絵図等を見えなくする場合は、図１４に示すように切り抜き部２２ｈ覆うようにして覆いシート２３ｈを貼り付ける。本の題名、絵図等を見えるようにする場合は、覆いシート２３ｈの周縁部３５ｈに設けられた粘着層が形成されていない部分を手で持って剥離する。
【００３７】
このような構成とすれば本１０を保護できることに加え、電車の中など他人に読んでいる本の題名、絵図等を見られたくない場合には覆いシート２３ｈを貼り付けることで隠すことができる。
なお、このように基材シート６ｈに切り抜き部２２ｈを設け、その部分に覆いシート２３ｈを貼り付ける構成は、第２の実施形態で説明した図３に示したブックカバー１ｂ、第５の実施形態で説明した図９に示したブックカバー１ｅに対して施してもよい。
【図面の簡単な説明】
【００３８】
【図１】第１の実施形態に係るブックカバー１ａの展開図である。
【図２】第１の実施形態に係るブックカバー１ａを本に装着した状態図である。
【図３】第２の実施形態に係るブックカバー１ｂの展開図である。
【図４】第２の実施形態に係るブックカバー１ｂを本に装着した状態図である。
【図５】第３の実施形態に係るブックカバー１ｃの展開図である。
【図６】第３の実施形態に係るブックカバー１ｃを本に装着した状態図である。
【図７】第４の実施形態に係るブックカバー１ｄの展開図である。
【図８】第４の実施形態に係るブックカバー１ｄを本に装着した状態図である。
【図９】第５の実施形態に係るブックカバー１ｅを本に装着した状態図である。
【図１０】第６の実施形態に係るブックカバー１ｆを本に装着した状態図である。
【図１１】第７の実施形態に係るブックカバー１ｇの展開図である。
【図１２】第７の実施形態に係るブックカバー１ｇを本に装着した状態図である。
【図１３】第８の実施形態に係るブックカバー１ｈの展開図である。
【図１４】第８の実施形態に係るブックカバー１ｈを本に装着した状態図である。
【図１５】従来のブックカバー１の一例である。
【図１６】保護対象である本１０の斜視図である。
【符号の説明】
【００３９】
図面中、１、１ａ、１ｂ、１ｃ、１ｄ、１ｅ、１ｆ、１ｇ、１ｈはブックカバー、２、２ａ、２ｂ、２ｃ、２ｄ、２ｇ、２ｈは背表紙部、３、３ａ、３ｂ、３ｃ、３ｄ、３ｅ、３ｇ、３ｈは表表紙部、４、４ａ、４ｂ、４ｃ、４ｄ、４ｅ、４ｆ、４ｇ、４ｈは裏表紙部、５、５ｂ、５ｄは折返部、６ａ、６ｂ、６ｄ、６ｇ、６ｈは基材シート、７ａ、７ｂ、７ｃは粘着層、１０は本、１２は背表紙、１３は表表紙、１４は裏表紙、２２ｇ、２２ｈは切り抜き部、２３ｇ、２３ｈは覆いシートを示す。
【図１】
2008137370.tif 000003
【図２】
2008137370.tif 000004
【図３】
2008137370.tif 000005
【図４】
2008137370.tif 000006
【図５】
2008137370.tif 000007
【図６】
2008137370.tif 000008
【図７】
2008137370.tif 000009
【図８】
2008137370.tif 000010
【図９】
2008137370.tif 000011
【図１０】
2008137370.tif 000012
【図１１】
2008137370.tif 000013
【図１２】
2008137370.tif 000014
【図１３】
2008137370.tif 000015
【図１４】
2008137370.tif 000016
【図１５】
2008137370.tif 000017
【図１６】
2008137370.tif 000018
【手続補正書】
【提出日】平成20年1月27日(2008.1.27)
【手続補正１】
【補正対象書類名】特許請求の範囲
【補正対象項目名】全文
【補正方法】変更
【補正の内容】
【特許請求の範囲】
【請求項１】
本の表紙を覆って本を保護すると同時に読んでいる本の題名を他人に容易には見られないようにするためのブックカバーであって、
前記本の表表紙、背表紙、裏表紙を一体に連設した形状に略等しい形状の不透明な基材シートの裏面全体に再剥離可能な弱粘着性の粘着層を形成して構成してあり、該粘着層により前記本の表紙に貼り付けて使用することを特徴とするブックカバー。
【請求項２】
請求項１に記載のブックカバーであって、前記基材シートにおける前記本の背表紙を覆う部分は透明に形成してあることを特徴とするブックカバー。
【請求項３】
請求項１に記載のブックカバーであって、前記基材シートにおける前記本の背表紙に印刷された本の題名を表示する部分を覆う部分が切り抜いてあり、
該切り抜き部には、該切り抜き部を余裕をもって覆うことのできる大きさの不透明なシートであって、該切り抜き部及びその外周縁部に接触する部分と、該シート自体の周縁部とを除く部分に再剥離可能な弱粘着性の粘着層を形成した覆いシートが貼り付けてあることを特徴とするブックカバー。
【請求項４】
請求項１乃至３の何れかに記載のブックカバーであって、前記基材シートにおける前記本の表表紙に印刷された本の題名、絵図等を表示する部分を覆う部分が切り抜いてあり、  該切り抜き部には、該切り抜き部を余裕をもって覆うことのできる大きさの不透明なシートであって、該切り抜き部及びその外周縁部に接触する部分と、該シート自体の周縁部とを除く部分に再剥離可能な弱粘着性の粘着層を形成した覆いシートが貼り付けてあることを特徴とするブックカバー。
【請求項５】
請求項３又は４に記載のブックカバーであって、前記基材シートにおける前記本の開き方向側に当たる左右両端部に、本の表表紙、背表紙の裏側に折り返して使用する折返部が延設してあり、該折返部の裏面全体にも再剥離可能な弱粘着性の粘着層が形成してあることを特徴とするブックカバー。
【請求項６】
請求項１乃至５の何れかに記載のブックカバーであって、前記基材シートの裏面の粘着層は左右両端の周縁部を除いた裏面全体に形成してあることを特徴とするブックカバー。
【手続補正２】
【補正対象書類名】明細書
【補正対象項目名】０００９
【補正方法】変更
【補正の内容】
【０００９】
また、請求項２に記載の発明は、請求項１に記載のブックカバーであって、前記基材シートにおける前記本の背表紙を覆う部分は透明に形成してあることを特徴とするブックカバーである。
【手続補正３】
【補正対象書類名】明細書
【補正対象項目名】００１０
【補正方法】変更
【補正の内容】
【００１０】
このような構成のブックカバーは本に装着した状態でも本の題名を確認することができる。従って、ブックカバーを装着した状態で本棚に収納したり積み上げたりしても、題名を確認できる。本の表表紙、裏表紙はブックカバーの不透明な部分で覆われているため、電車の中等でも読んでいる本の題名を他人に知られることがない。
【手続補正４】
【補正対象書類名】明細書
【補正対象項目名】００１１
【補正方法】変更
【補正の内容】
【００１１】
また、請求項３に記載の発明は、請求項１に記載のブックカバーであって、前記基材シートにおける前記本の背表紙に印刷された本の題名を表示する部分を覆う部分が切り抜いてあり、該切り抜き部には、該切り抜き部を余裕をもって覆うことのできる大きさの不透明なシートであって、該切り抜き部及びその外周縁部に接触する部分と、該シート自体の周縁部とを除く部分に再剥離可能な弱粘着性の粘着層を形成した覆いシートが貼り付けてあることを特徴とするブックカバーである。
【手続補正５】
【補正対象書類名】明細書
【補正対象項目名】００１２
【補正方法】変更
【補正の内容】
【００１２】
このような構成のブックカバーは、本を保護できることに加え、電車の中など他人に読んでいる本の題名を知られたくない場合には覆いシートを貼り付けて隠すことができる。
【手続補正６】
【補正対象書類名】明細書
【補正対象項目名】００１３
【補正方法】変更
【補正の内容】
【００１３】
また、請求項４に記載の発明は、請求項１乃至３の何れかに記載のブックカバーであって、前記基材シートにおける前記本の表表紙に印刷された本の題名、絵図等を表示する部分を覆う部分が切り抜いてあり、該切り抜き部には、該切り抜き部を余裕をもって覆うことのできる大きさの不透明なシートであって、該切り抜き部及びその外周縁部に接触する部分と、該シート自体の周縁部とを除く部分に再剥離可能な弱粘着性の粘着層を形成した覆いシートが貼り付けてあることを特徴とするブックカバーである。
【手続補正７】
【補正対象書類名】明細書
【補正対象項目名】００１４
【補正方法】変更
【補正の内容】
【００１４】
このような構成のブックカバーは、本を保護できることに加え、電車の中など他人に読んでいる本の題名、絵図等を見られたくない場合には覆いシートを貼り付けてそれらを隠すことができる。
【手続補正８】
【補正対象書類名】明細書
【補正対象項目名】００１５
【補正方法】変更
【補正の内容】
【００１５】
また、請求項５に記載の発明は、請求項３又は４に記載のブックカバーであって、前記基材シートにおける前記本の開き方向側に当たる左右両端部に、本の表表紙、背表紙の裏側に折り返して使用する折返部が延設してあり、該折返部の裏面全体にも再剥離可能な弱粘着性の粘着層が形成してあることを特徴とするブックカバーである。
【手続補正９】
【補正対象書類名】明細書
【補正対象項目名】００１６
【補正方法】変更
【補正の内容】
【００１６】
このような構成のブックカバーでは、本の開き方向両端部も保護される利点がある。請求項１記載のブックカバーに比べ、折返部を折り返して本に粘着させる手間がかかるが、上下方向には折返部を設けていないので簡単に取り付け、取り外しができる。
【手続補正１０】
【補正対象書類名】明細書
【補正対象項目名】００１７
【補正方法】変更
【補正の内容】
【００１７】
また、請求項６に記載の発明は、請求項１乃至５の何れかに記載のブックカバーであって、前記基材シートの裏面の粘着層は左右両端の周縁部を除いた裏面全体に形成してあることを特徴とするブックカバーである。
【手続補正１１】
【補正対象書類名】明細書
【補正対象項目名】００１８
【補正方法】変更
【補正の内容】
【００１８】
このように左右両端に粘着層のない部分を設けておけば、粘着させたブックカバーを本の表紙から剥離する際の操作が容易になる利点がある。